(57)【特許請求の範囲】
【請求項１】
開口部を有し、内側に家庭用薄葉紙を収納する容器本体と、前記開口部を閉塞するように前記容器本体に着脱自在に取り付けられる蓋体と、を備える家庭用薄葉紙収納容器であって、
前記蓋体は、前記容器本体に取り付けられた状態で、その容器本体の内部に連通する蓋体開口が形成された取出面を有する蓋体本体と、前記取出面に沿ってスライド移動可能に取り付けられた蓋部材と、を有し、
前記蓋体開口は、前記取出面の略中央側からその取出面の外縁側に亘って設けられており、
前記蓋部材は、前記蓋体開口を塞ぐ第１の配置と、前記蓋部材の一端部と前記蓋体開口における前記取出面の略中央側の縁との間に前記家庭用薄葉紙が摺接する取出口を形成する第２の配置と、前記蓋部材の一端部が前記蓋体開口における前記取出面の外縁側に位置する第３の配置と、に切り替えられ、
前記第２の配置から前記第１の配置に前記蓋部材をスライド移動させる際に、前記蓋部材の一端部に押し倒された前記家庭用薄葉紙の端部を収容する凹型の収容部を前記蓋体本体に設け、
前記第１の配置に切り替えられた前記蓋部材は、前記家庭用薄葉紙の端部を収容する前記収容部の開口全体を覆うように構成されていることを特徴とする家庭用薄葉紙収納容器。
【請求項２】
前記取出口から引き出された前記家庭用薄葉紙は、前記第２の配置から前記第１の配置に切り替えるためにスライド移動する前記蓋部材の一端部に押し倒されて、当該蓋部材の一面と前記蓋体本体の前記取出面とにより挾持されることを特徴とする請求項１に記載の家庭用薄葉紙収納容器。
【請求項３】
前記蓋部材の一端部と、前記蓋体開口における前記取出面の略中央側の縁との少なくとも一方に、前記取出口から引き出される前記家庭用薄葉紙に抵抗を付与する摩擦部を設けたことを特徴とする請求項１又は２に記載の家庭用薄葉紙収納容器。
【請求項４】
前記蓋部材を前記第１の配置に切り替えた際に、前記蓋体本体に密着する密着部材を前記蓋部材の他端部に設けたことを特徴とする請求項１〜３の何れか一項に記載の家庭用薄葉紙収納容器。
【発明の詳細な説明】
【技術分野】
【０００１】
本発明は、ウェットシートやウェットティッシュ等の家庭用薄葉紙を収納する家庭用薄葉紙収納容器に関する。
【背景技術】
【０００２】
従来、家屋の床やトイレ、或いは人体などを拭くための家庭用薄葉紙を収納する家庭用薄葉紙収納容器が知られている。
そして、収納容器の取出口をスライド嵌合構造の蓋体で覆うことで閉蓋し、その蓋体をスライド移動させて取出口を露出させるように開蓋することで、収納容器内に収納されている家庭用薄葉紙を取出口から引き出すことを可能にした容器（包装体）が知られている（例えば、特許文献１参照。）。
この容器（包装体）では、取出口の開口サイズを小さくした上で、その取出口を蓋体で閉蓋することによって気密性の向上を図っており、ウェットシートに含浸されている水分や薬剤などの揮散を防止するようになっている。
【先行技術文献】
【特許文献】
【０００３】
【特許文献１】特開平９−１０４４８４号公報
【発明の概要】
【発明が解決しようとする課題】
【０００４】
しかしながら上記特許文献１の場合、新たな収納容器（包装体）を使用開始する際や、詰め替え用の収納容器に新たな家庭用薄葉紙を装填した際などに、家庭用薄葉紙の１枚目の端部を取出口の小さな穴から取り出すことが困難であり、家庭用薄葉紙を取出口に挿通する作業が煩わしくなることがあるという問題があった。
【０００５】
本発明の目的は、家庭用薄葉紙を取出口から容易に取り出すことができる家庭用薄葉紙収納容器を提供することである。
【課題を解決するための手段】
【０００６】
以上の課題を解決するため、請求項１に記載の発明は、
開口部を有し、内側に家庭用薄葉紙を収納する容器本体と、前記開口部を閉塞するように前記容器本体に着脱自在に取り付けられる蓋体と、を備える家庭用薄葉紙収納容器であって、
前記蓋体は、前記容器本体に取り付けられた状態で、その容器本体の内部に連通する蓋体開口が形成された取出面を有する蓋体本体と、前記取出面に沿ってスライド移動可能に取り付けられた蓋部材と、を有し、
前記蓋体開口は、前記取出面の略中央側からその取出面の外縁側に亘って設けられており、
前記蓋部材は、前記蓋体開口を塞ぐ第１の配置と、前記蓋部材の一端部と前記蓋体開口における前記取出面の略中央側の縁との間に前記家庭用薄葉紙が摺接する取出口を形成する第２の配置と、前記蓋部材の一端部が前記蓋体開口における前記取出面の外縁側に位置する第３の配置と、に切り替えられ、
前記第２の配置から前記第１の配置に前記蓋部材をスライド移動させる際に、前記蓋部材の一端部に押し倒された前記家庭用薄葉紙の端部を収容する凹型の収容部を前記蓋体本体に設け、
前記第１の配置に切り替えられた前記蓋部材は、前記家庭用薄葉紙の端部を収容する前記収容部の開口全体を覆うように構成されていることを特徴とする。
【０００７】
請求項２に記載の発明は、請求項１に記載の家庭用薄葉紙収納容器において、
前記取出口から引き出された前記家庭用薄葉紙は、前記第２の配置から前記第１の配置に切り替えるためにスライド移動する前記蓋部材の一端部に押し倒されて、当該蓋部材の一面と前記蓋体本体の前記取出面とにより挾持されることを特徴とする。
【０００８】
請求項３に記載の発明は、請求項１又は２に記載の家庭用薄葉紙収納容器において、
前記蓋部材の一端部と、前記蓋体開口における前記取出面の略中央側の縁との少なくとも一方に、前記取出口から引き出される前記家庭用薄葉紙に抵抗を付与する摩擦部を設けたことを特徴とする。
【０００９】
請求項４に記載の発明は、請求項１〜３の何れか一項に記載の家庭用薄葉紙収納容器において、
前記蓋部材を前記第１の配置に切り替えた際に、前記蓋体本体に密着する密着部材を前記蓋部材の他端部に設けたことを特徴とする。
【発明の効果】
【００１０】
本発明によれば、家庭用薄葉紙収納容器において、蓋部材を第３の配置に切り替えて開いた蓋体開口は、蓋体本体の取出面の略中央側からその取出面の外縁側に亘り比較的大きな開口になるため、容器本体内に収納した家庭用薄葉紙を蓋体開口から引き出しやすいので、家庭用薄葉紙収納容器に家庭用薄葉紙を詰め替える作業を容易に行うことができる。
また、家庭用薄葉紙収納容器において、蓋部材を第３の配置から第２の配置に切り替えて形成した取出口は、その取出口から引き出される家庭用薄葉紙に摺接して適度に抵抗を付与することによって、家庭用薄葉紙をミシン目などに沿って切り離すことができるので、使用に応じて家庭用薄葉紙を容器から容易に取り出すことができる。
また、家庭用薄葉紙収納容器において、蓋部材を第１の配置に切り替えて、蓋体開口を塞ぐことによって、容器内部の気密性を保つことができるので、家庭用薄葉紙に含浸されている水分や薬剤などの揮散を防止して、家庭用薄葉紙収納容器内に収納した家庭用薄葉紙を好適に保管することができる。
【００１１】
つまり、この家庭用薄葉紙収納容器において家庭用薄葉紙の詰め替えを行う際、比較的大きな開口である蓋体本体の蓋体開口から家庭用薄葉紙を容易に引き出すことができるとともに、蓋部材を第３の配置から第２の配置に切り替えて、蓋体開口のサイズを狭めてなる取出口に家庭用薄葉紙を挿通させることができ、その取出口から家庭用薄葉紙を容易に取り出すことができる。
【図面の簡単な説明】
【００１２】
【図１】本発明に係る家庭用薄葉紙収納容器を正面上方から見た斜視図であり、蓋部材を第１の配置に切り替えたものである。
【図２】家庭用薄葉紙収納容器の蓋体を示した、図１のII―II線における断面図である。
【図３】家庭用薄葉紙収納容器の蓋体を示した、図１のIII―III線における断面図である。
【図４】本発明に係る家庭用薄葉紙収納容器を正面上方から見た斜視図であり、蓋部材を第３の配置に切り替えたものである。
【図５】蓋部材を第３の配置に切り替えた家庭用薄葉紙収納容器を示す断面図である。
【図６】本発明に係る家庭用薄葉紙収納容器を正面上方から見た斜視図であり、蓋部材を第２の配置に切り替えたものである。
【図７】蓋部材を第２の配置に切り替えた家庭用薄葉紙収納容器を示す断面図である。
【図８】蓋部材を第１の配置に切り替えた家庭用薄葉紙収納容器を示す断面図である。
【発明を実施するための形態】
【００１３】
以下、図を参照して、本発明に係る家庭用薄葉紙収納容器の具体的な態様を詳細に説明する。ただし、発明の範囲は、図示例に限定されない。
【００１４】
図１は、本発明を適用した好適な実施形態として例示する家庭用薄葉紙収納容器１００を正面上方から見た斜視図である。図２と図３は容器本体１１上部における蓋体１２の断面図であり、図２はII−II線に沿った断面図、図３はIII−III線に沿った断面図である。
また、図４から図８は、家庭用薄葉紙収納容器１００の蓋体開口１３ａから家庭用薄葉紙Ｐを取り出す際の取り出し動作を示す説明図である。
【００１５】
家庭用薄葉紙収納容器１００は、図１〜図８に示すように、例えば、内側にロール状の家庭用薄葉紙Ｐ（例えば、ロール状に巻かれたウェットシートやウェットティッシュ等のロールペーパー）を収納する容器本体１１と、この容器本体１１に設けられた開口部１１ａを閉塞するように容器本体１１に着脱自在に取り付けられる蓋体１２とを備え、蓋体１２における蓋体本体１３に設けられた蓋体開口１３ａを開閉するように蓋体本体１３にスライド移動可能に取り付けられた蓋部材１４等を備えて構成されている。
この家庭用薄葉紙収納容器１００に収納するロール状に巻かれた家庭用薄葉紙Ｐには、長さ方向に一定間隔をおいてミシン目Ｐ１が施されており、そのミシン目に沿って切り離したサイズの家庭用薄葉紙Ｐを、ユーザが使用するようになっている。
なお、以下の説明では、家庭用薄葉紙収納容器１００の前後方向をＸ軸方向として、蓋部材１４に密着部材１５が設けられている側を手前側とし、その反対側を後側とする。さらに、正面視にて左右方向（幅方向）をＹ軸方向とし、上下方向をＺ軸方向とする。
【００１６】
容器本体１１は、図示しない下底部を有するとともに上端部に開口部１１ａが設けられた有底円筒形状をなし、その上端部の外周面には周方向に沿って雄ネジ部１１ｂが設けられている（図５，７，８参照）。なお、図１、図４〜８では、容器本体１１の下部の図示を省略して記載している。
本実施形態における容器本体１１は、例えば、ＰＥ（ポリエチレン）やＰＰ（ポリプロピレン）、或いはＡＢＳ樹脂等から形成されている。
【００１７】
蓋体１２は、容器本体１１に取り付けられた状態で、その容器本体１１の内部に連通する蓋体開口１３ａが形成された取出面１３０を有する蓋体本体１３と、取出面１３０に沿ってスライド移動可能に蓋体本体１３に取り付けられた蓋部材１４と、を有している。
【００１８】
蓋体本体１３は、その上面に蓋体開口１３ａが形成された取出面１３０を有するとともに下端部が開放された円筒形状をなし、開放された下端部の内周面には容器本体１１の雄ネジ部１１ｂと螺合する雌ネジ部１３５が設けられている。
そして、容器本体１１と蓋体本体１３とは、雄ネジ部１１ｂと雌ネジ部１３５を介して着脱自在に螺着される（図５，７，８参照）。これにより、容器本体１１の開口部１１ａが開閉自在となり、容器本体１１から蓋体１２を取り外した状態で、容器本体１１の内部に家庭用薄葉紙Ｐを収納したり取り出したりすることができるようになっている。なお、本実施形態では、家庭用薄葉紙Ｐが、上下方向（Ｚ軸方向）を中心としてロール状に巻かれた状態で容器本体１１に収納されるようになっている。
【００１９】
この蓋体本体１３の取出面１３０には、家庭用薄葉紙収納容器１００から家庭用薄葉紙Ｐを取り出すための取出部１３０ａが設けられている。取出部１３０ａは、蓋体開口１３ａ、摩擦部１３ｂ、収容部１３ｃ、蓋体開口１３ａと摩擦部１３ｂと収容部１３ｃの周囲を囲うガイド部１３４等により構成されている。
【００２０】
蓋体開口１３ａは、取出面１３０の略中央側からその取出面１３０の外縁側に亘って設けられた開口であり、容器本体１１の内部に連通している。
摩擦部１３ｂは、蓋体開口１３ａにおける取出面１３０の略中央側の縁に設けられており、この摩擦部１３ｂと蓋部材１４の一端部１４ａとの間に取出口３４（図６，７参照）が形成される。摩擦部１３ｂは、蓋体開口１３ａに向けた鋸状の端部を有している。
収容部１３ｃは、摩擦部１３ｂを挟んで蓋体開口１３ａの反対側に設けられた凹部であり、蓋部材１４が閉じられた状態で、その蓋部材１４の下方に家庭用薄葉紙Ｐの端部を収容するための空間を成す。
ガイド部１３４は、蓋部材１４が蓋体本体１３の取出面１３０に沿って前後方向にスライド移動するように案内する溝部であり、蓋部材１４の左右両端と滑合している。また、ガイド部１３４には、後述する蓋部材１４の位置決め凸部１４１と係合する略半球状の窪みである第１凹部１３１、第２凹部１３２、第３凹部１３３が形成されている。
本実施形態における蓋体本体１３は、例えば、ＰＥ（ポリエチレン）やＰＰ（ポリプロピレン）、ＰＥＴ（ポリエチレンテレフタレート）等、可撓性を有する樹脂材料から形成されている。
【００２１】
蓋部材１４は、蓋体本体１３のガイド部１３４に左右両端を支持されて、蓋体本体１３の取出面１３０に沿って前後方向にスライド移動可能に備えられた平板状の部材である。
この蓋部材１４の一端部１４ａの下面には、略半球形状を呈する位置決め凸部１４１が形成されている。
本実施形態における蓋部材１４は、例えば、ＰＥ（ポリエチレン）やＰＰ（ポリプロピレン）、ＰＥＴ（ポリエチレンテレフタレート）等、可撓性を有する樹脂材料から形成されている。
また、蓋部材１４の他端部１４ｂには、蓋部材１４が閉じられた状態で蓋体本体１３に密着する密着部材１５が設けられている。この密着部材１５は、例えば、シリコンゴムなど弾性を有する樹脂材料から形成されている。
【００２２】
次に、家庭用薄葉紙収納容器１００における家庭用薄葉紙Ｐの詰め替え動作と、家庭用薄葉紙Ｐの取り出し動作について説明する。
【００２３】
家庭用薄葉紙収納容器１００に家庭用薄葉紙Ｐを詰め替える場合、まず、容器本体１１から蓋体１２を取り外して、家庭用薄葉紙Ｐを容器本体１１の開口部１１ａからその内部に装填する。
そして、容器本体１１に蓋体１２を取り付けて、家庭用薄葉紙収納容器１００内に家庭用薄葉紙Ｐを収納する。
【００２４】
次いで、図４、図５に示すように、蓋部材１４を手前側にスライド移動させ、蓋部材１４の一端部１４ａが蓋体開口１３ａにおける取出面１３０の外縁側に位置する第３の配置に切り替える。
この蓋部材１４を第３の配置に移動させた際、蓋体本体１３のガイド部１３４において最も手前側に設けられている第３凹部１３３に、蓋部材１４の位置決め凸部１４１が係合して、蓋部材１４の移動が規制されて位置決めされるようになっている。
この第３の配置に蓋部材１４を移動させた状態が、家庭用薄葉紙収納容器１００において蓋体開口１３ａを最も大きく開いた状態である。蓋部材１４が第３の配置に切り替えられた際に開かれた蓋体開口１３ａは、ユーザが指を２本ないし３本挿し込むことができるサイズであることが好ましい。
そして、大きく開かれた蓋体開口１３ａからユーザが指を挿し込み、容器の内部から家庭用薄葉紙Ｐの一端をつまみ出す。
【００２５】
このように蓋部材１４を第３の配置に切り替えて開いた蓋体開口１３ａは、比較的大きな開口なので、容器本体１１内の家庭用薄葉紙Ｐを摘んで、蓋体本体１３の取出面１３０側に引き出しやすくなっている。
【００２６】
次いで、図６、図７に示すように、第３の配置から蓋部材１４を後側にスライド移動させ、蓋部材１４の一端部１４ａを、蓋体開口１３ａにおける取出面１３０の略中央側の縁にある摩擦部１３ｂに近接させて、蓋部材１４の一端部１４ａと摩擦部１３ｂとの間に家庭用薄葉紙Ｐを引き出すための取出口３４を形成する第２の配置に切り替える。
この蓋部材１４を第２の配置に移動させた際、蓋体本体１３のガイド部１３４において略中央側に設けられている第２凹部１３２に、蓋部材１４の位置決め凸部１４１が係合して、蓋部材１４の移動が規制されて位置決めされるようになっている。
この第２の配置に蓋部材１４を移動させた状態が、家庭用薄葉紙収納容器１００に取出口３４を形成した状態である。蓋部材１４が第２の配置に切り替えられて形成された取出口３４は、その取出口３４から家庭用薄葉紙Ｐを引き出す際に、家庭用薄葉紙Ｐが取出口３４の端面に摺接するサイズであることが好ましい。
つまり、この取出口３４は、蓋部材１４の一端部１４ａと摩擦部１３ｂの間隔を縮めて、蓋体開口１３ａのサイズを狭めてなる開口である。そして、蓋体開口１３ａに家庭用薄葉紙Ｐを通した後、蓋部材１４を第３の配置から第２の配置に切り替えて、蓋体開口１３ａのサイズを狭めてなる取出口３４に家庭用薄葉紙Ｐを挿通させることが可能になっている。
そして、この取出口３４から家庭用薄葉紙Ｐを引き出す際、家庭用薄葉紙Ｐが取出口３４における鋸状の摩擦部１３ｂと摺接することで、取出口３４から引き出される家庭用薄葉紙Ｐに抵抗が付与される。こうして取出口３４における摩擦部１３ｂによって抵抗が付与されつつ家庭用薄葉紙Ｐが引き出されて、次の家庭用薄葉紙Ｐとの継ぎ目であるミシン目Ｐ１の部分まで引き出された際に、ミシン目Ｐ１に沿って家庭用薄葉紙Ｐが切り離される。また、切り離された次の家庭用薄葉紙Ｐの上端部は、取出口３４に保持されることとなる。
【００２７】
このように蓋部材１４の一端部１４ａと摩擦部１３ｂとの間に形成された取出口３４は、その取出口３４から引き出される家庭用薄葉紙Ｐに適度に抵抗を付与することができ、好適に家庭用薄葉紙Ｐの取り出しや切り離しを行うことを可能にし、また次の家庭用薄葉紙Ｐを取出口３４に保持することができる。
【００２８】
次いで、家庭用薄葉紙収納容器１００から家庭用薄葉紙Ｐを取り出して使用することを終えた場合、図１、図８に示すように、第２の配置から蓋部材１４を後側にスライド移動させ、蓋部材１４の一端部１４ａが蓋体本体１３の後方に突き当たり蓋体開口１３ａを塞ぐ第１の配置に切り替える。
この蓋部材１４を第１の配置に移動させた際、蓋体本体１３のガイド部１３４において最も後側に設けられている第１凹部１３１に、蓋部材１４の位置決め凸部１４１が係合して、蓋部材１４の移動が規制されて位置決めされるようになっている。
この第１の配置に蓋部材１４を移動させた状態が、蓋部材１４で蓋体本体１３の蓋体開口１３ａを閉じた状態であり、家庭用薄葉紙収納容器１００を閉蓋した状態である。蓋部材１４が第１の配置に切り替えられて閉蓋された際、容器内部の気密性が保たれるように蓋部材１４が蓋体本体１３のガイド部１３４と密接することが好ましい。
特に、蓋部材１４を第１の配置に切り替えた際に、蓋部材１４の他端部１４ｂに設けた密着部材１５が蓋体本体１３に密着することで、蓋体本体１３の側面に表出したガイド部１３４の溝の開口端を塞ぐことができ、容器内部の気密性を保つことができる。
【００２９】
また、第２の配置から第１の配置に蓋部材１４をスライド移動させる際に、取出口３４に保持されていた家庭用薄葉紙Ｐは、蓋部材１４の一端部１４ａによって後側に押し倒される。その押し倒された家庭用薄葉紙Ｐの端部は、蓋体本体１３の収容部１３ｃに収容されて蓋部材１４で覆われるようになっている。
特に、蓋部材１４を第１の配置に移動させて蓋部材１４が蓋体本体１３の蓋体開口１３ａを閉じた状態において、家庭用薄葉紙Ｐの端部は、蓋体本体１３の摩擦部１３ｂの上面と蓋部材１４の下面とに挟持されているので、その閉蓋した家庭用薄葉紙収納容器１００内で、その家庭用薄葉紙Ｐの端部は収容部１３ｃから容器本体１１側に抜け落ちてしまうことがない。
そして、家庭用薄葉紙収納容器１００から家庭用薄葉紙Ｐを取り出して使用するために、蓋部材１４を第１の配置から第２の配置に切り替えて取出口３４を形成した際、その取出口３４に家庭用薄葉紙Ｐの端部が保持されるようになっている。
【００３０】
このように蓋部材１４で蓋体本体１３の蓋体開口１３ａを閉じて、家庭用薄葉紙収納容器１００を閉蓋することによって、容器内部の気密性を保つことができるので、家庭用薄葉紙Ｐに含浸されている水分や薬剤などの揮散を防止して、家庭用薄葉紙収納容器１００内に収納した家庭用薄葉紙Ｐを好適に保管することができる。
また、蓋部材１４を第１の配置から第２の配置にスライド移動させて、家庭用薄葉紙収納容器１００の取出口３４を開蓋した際、その取出口３４に家庭用薄葉紙Ｐの端部が保持されているので、速やかに家庭用薄葉紙Ｐを引き出して使用することができる。
【００３１】
以上のように、家庭用薄葉紙収納容器１００において、蓋部材１４を第３の配置に切り替えて開いた蓋体開口１３ａは、比較的大きな開口であるため、容器本体１１内の家庭用薄葉紙Ｐの端部を蓋体開口１３ａから引き出しやすいので、家庭用薄葉紙収納容器１００に家庭用薄葉紙Ｐを詰め替える作業を容易に行うことができる。
また、家庭用薄葉紙収納容器１００において、蓋部材１４を第２の配置に切り替えて形成した取出口３４は、その取出口３４から引き出される家庭用薄葉紙Ｐに適度に抵抗を付与することで、好適にミシン目Ｐ１に沿って家庭用薄葉紙Ｐを切り離すことができ、使用に応じて家庭用薄葉紙Ｐを容易に取り出すことを可能にする。
また、家庭用薄葉紙収納容器１００において、蓋部材１４を第１の配置に切り替えて、蓋体開口１３ａを閉じることによって、容器内部の気密性を保つことができるので、家庭用薄葉紙Ｐに含浸されている水分や薬剤などの揮散を防止して、家庭用薄葉紙収納容器１００内に収納した家庭用薄葉紙Ｐを好適に保管することができる。
【００３２】
このように、家庭用薄葉紙収納容器１００は、家庭用薄葉紙Ｐの詰め替えを行う際、蓋体本体１３の蓋体開口１３ａから家庭用薄葉紙Ｐを容易に引き出すことができるとともに、その蓋体開口１３ａのサイズを狭めてなる取出口３４に家庭用薄葉紙Ｐを挿通させることができ、その取出口３４から家庭用薄葉紙Ｐを容易に取り出すことができる。
また、蓋体開口１３ａを閉蓋した蓋部材１４を第１の配置から第２の配置にスライド移動させて、家庭用薄葉紙収納容器１００の取出口３４を開蓋した際、その取出口３４に家庭用薄葉紙Ｐの端部が保持されているので、速やかに家庭用薄葉紙Ｐを引き出して使用することができる。
【００３３】
なお、以上の実施の形態においては、摩擦部１３ｂを蓋体開口１３ａにおける取出面１３０の略中央側の縁に設けたが、本発明はこれに限定されるものではなく、例えば、蓋部材１４の一端部１４ａに摩擦部を設けるようにしてもよい。
蓋部材１４の一端部１４ａと、蓋体開口１３ａにおける取出面１３０の略中央側の縁との少なくとも一方に摩擦部を設けておけば、取出口３４から引き出される家庭用薄葉紙Ｐに適度に抵抗を付与することができる。
また、摩擦部１３ｂは、鋸状であることに限らず、家庭用薄葉紙Ｐに抵抗を付与できる形状であれば任意の形状であってよい。
【００３４】
また、その他、具体的な細部構造等についても適宜に変更可能であることは勿論である。
【符号の説明】
【００３５】
１１    容器本体
１１ａ  開口部
１２    蓋体
１３    蓋体本体
１３ａ  蓋体開口
１３ｂ  摩擦部
１３ｃ  収容部
１３０  取出面
１３１  第１凹部
１３２  第２凹部
１３３  第３凹部
１３４  ガイド部
１４    蓋部材
１４ａ  一端部
１４ｂ  他端部
１４１  位置決め凸部
１５    密着部材
３４    取出口
１００  家庭用薄葉紙収納容器
Ｐ      家庭用薄葉紙
【図１】
0005715805.tif 000002
【図２】
0005715805.tif 000003
【図３】
0005715805.tif 000004
【図４】
0005715805.tif 000005
【図５】
0005715805.tif 000006
【図６】
0005715805.tif 000007
【図７】
0005715805.tif 000008
【図８】
0005715805.tif 000009